(57)【特許請求の範囲】
【請求項１】
画像投射光を観察側に集光する作用を持つフレネルレンズと、画像投射光を垂直方向に屈折させる作用を持つ垂直レンチキュラーレンズと、水平方向に屈折させる作用を持つ水平レンチキュラーレンズと、前記水平レンチキュラーレンズと異なるもう一つの水平レンチキュラーレンズの４つの光学要素から構成される透過型スクリーンであって、
樹脂基材の一方の面に垂直レンチキュラーレンズを、その反対面にフレネルレンズを形成した両面レンズシート（Ａ）と、透明樹脂基材の片面に水平レンチキュラーレンズを形成した水平レンチキュラーレンズシート（Ｂ）と、該水平レンチキュラーレンズ（Ｂ）とは異なるもう一つの水平レンチキュラーレンズシート（Ｃ）とからなり、前記水平レンチキュラーレンズシート（Ｂ）及び水平レンチキュラーレンズシート（Ｃ）の各々のレンズピッチをＰｂ、Ｐｃとした場合、Ｐｂ＞Ｐｃなる条件を満たす３枚の光学物品を、順次、画像投射側から両面レンズシート（Ａ）、水平レンチキュラーレンズシート（Ｂ）、水平レンチキュラーレンズシート（Ｃ）を、フレネルレンズ面と水平レンチキュラーレンズシート（Ｂ）のレンチキュラーレンズ面とが重なり合い、さらに水平レンチキュラーレンズシート（Ｂ）のレンズ面と反対側の平坦面に水平レンチキュラーレンズシート（Ｃ）のレンチキュラーレンズ面を重ね合わせ、水平レンチキュラーレンズシート（Ｃ）のレンズ面と反対側の平坦面が観察側に位置するように配設したことを特徴とする透過型スクリーン。
【請求項２】
前記両面レンズシート（Ａ）の樹脂基材に光拡散剤が、混入されていることを特徴とする請求項１記載の透過型スクリーン。
【請求項３】
前記水平レンチキュラーレンズシート（Ｂ）は、該レンチキュラーレンズの集光作用を利用して、レンズ面の反対側の平坦面に光集光部に相当する以外の領域に線条の遮光層が形成されていることを特徴とする請求項１又は２記載の透過型スクリーン。
【請求項４】
前記水平レンチキュラーレンズシート（Ｃ）は、レンズ面の反対側の平坦面に保護樹脂板が積層されていることを特徴とする請求項１乃至３記載の何れかの透過型スクリーン。
【請求項５】
前記保護樹脂板の観察面となる最外面に、ハードコート処理、帯電防止処理、反射防止処理のうち、少なくとも一つの表面処理が施されたことを特徴とする請求項４記載の透過型スクリーン。
【請求項６】
前記両面レンズシート（Ａ）の樹脂基材に、着色剤、帯電防止剤を混入したことを特徴とする請求項１乃至５記載の何れかの透過型スクリーン。
【発明の詳細な説明】
【０００１】
【発明の属する技術分野】
本発明は、液晶透過型プロジェクションテレビ等に使用される透過型スクリーンに関する。
【０００２】
【従来の技術】
従来の透過型スクリーンの一つとして、ＣＲＴ投射型プロジェクションテレビに最も汎用に使用されている透過型スクリーンは、観察側から保護板、両面レンチキュラーレンズシート、フレネルレンズシートの３枚から構成されている。（図３参照）
両面レンチキュラーレンズシートは、垂直方向を長手方向とする縦長のシリンドリカルレンズを両面の水平方向に連続して複数配列した形状のレンチキュラーレンズシートであり、投射側のレンズは映像光を水平方向に屈折拡散作用を、一方の観察側レンズは後に説明するカラーシフトを修正する作用を持つものである。
一方、映像光を垂直方向に屈折拡散させるためにレンチキュラーシート基材に光拡散剤を混入してある。
また、レンチキュラーレンズシートの観察面側に凸部を設け、その頂点の平坦部に墨インキなどで印刷し、外光コントラストを向上させる目的で遮光層が形成されている。
【０００３】
最近ＣＲＴ投射型プロジェクションテレビに対して、消費電力が少ない、軽量、かつ薄型であるなどの特徴をもつ液晶投射型プロジェクションテレビが普及してきた。
ＣＲＴ投射型プロジェクションテレビの場合は、ＲＧＢの３管により投射され、その３管のそれぞれの位置差によって発生するカラーシフトを修正するために、透過型スクリーンには両面レンチキュラーレンズシートが使われるのに対して、液晶投射型リアプロジェクションテレビの場合は、液晶からの映像光が単眼のレンズを通して投射され、位置差によるカラーシフトが発生しないため、透過型スクリーンには片面レンチキュラーレンズシートが使用できる。
【０００４】
液晶投射型プロジェクションテレビに使用される透過型スクリーンは、片面水平レンチキュラーレンズシート、フレネルレンズシートの２枚構成で構成されている。（図４参照）
レンチキュラーレンズシートは、スクリーン面の垂直方向を長手方向とする縦長のシリンドリカルレンズをスクリーン面の水平方向に連続して複数配列した形状の片面レンチキュラーシートであり、映像光を水平方向に屈折拡散作用を持つものである。遮光層が形成されていないため、外光によるコントラストの低下が問題となる。
一方、映像光を垂直方向に屈折拡散させるためと、コントラストを上げるために、レチキュラーレンズシート基材に光拡散剤と暗色系着色剤を混入してあるが、それだけではその効果が不十分で、さらにフレネルシートにも光拡散剤を混入してある。
このような光拡散剤及び着色剤は、その添加効果を十分得るためには相当量添加する必要があり、その結果、スクリーン輝度が低下するという問題が生じる。また、添加量が少ない場合、垂直方向への映像光の屈折拡散作用が不足し、スクリーンの垂直視野角が狭くなるという問題が生じる。
【０００５】
上記の問題点を解決するために、前記水平レンチキュラーレンズシートの片面に形成したレンズ面の反対側の平坦面に光集光部に相当する以外の領域に線条の遮光層を形成した透過型スクリーンが提案されている。（図５参照）
遮光層の外乱光を吸収する効果から、コントラストの向上は認められ、上記の着色剤の添加量を減らすことができるができるが、光拡散剤を使用して垂直方向の視野角を確保しようとする手法では、依然として輝度の低下の問題が残る。また、水平方向の視野角を広げるために、広視野角対応のレンズ設計はできても、上記のような水平レンチキュラーレンズの集光作用を利用して遮光層を形成するために、スクリーン製作上の制約が出てくるといった問題があり、必ずしもレンズ設計だけでは広視野角対応ができなかった。
【０００６】
近年、特に高精細な液晶パネルを用いた液晶投射型プロジェクションテレビ等に用いられる、高輝度の、水平、垂直視野角の広い、コントラストに優れ、鮮明な画像が観察できる透過型スクリーン求められているが、従来、コントラストに優れ、さらに高輝度、かつ水平、垂直方向の広視野角対応の鮮明な画像が観察できる透過型スクリーンは得られていなかった。
【０００７】
【発明が解決しようとする課題】
本発明は、上記の課題を鑑みてなされたものであり、高精細な液晶パネルを用いた液晶投射型プロジェクションテレビ等に用いられる高輝度、広視野角、高コントラストの、鮮明な画像が観察できる透過型スクリーン提供することを目的とする。
【０００８】
【課題を解決するための手段】
上記課題を解決するために、鋭意研究の結果、少量の拡散剤を添加混入した樹脂基材の片面にフレネルレンズを、もう一方の面に画像投射光を垂直方向に屈折させる作用により、垂直視野角を広げる目的の垂直レンチキュラーレンズを形成した両面レンズシート（Ａ）と、水平視野角を広げる目的の水平レンチキュラーレンズシート（Ｂ）と、さらに該水平レンチキュラーレンズシート（Ｂ）のレンズピッチよりも微細なピッチを有するもう一つの水平レンチキュラーレンズシート（Ｃ）を透過型スクリーンの構成に加えることにより、水平レンチキュラーレンズの集光作用を利用して遮光層を形成する場合でも、拡散層を形成する際の製作上の制約を受けづに、広視野角対応が可能であることを見出し、本発明に至った。
【０００９】
すなわち、請求項１記載の発明は、画像投射光を観察側に集光する作用を持つフレネルレンズと、画像投射光を垂直方向に屈折させる作用を持つ垂直レンチキュラーレンズと、水平方向に屈折させる作用を持つ水平レンチキュラーレンズと、前記水平レンチキュラーレンズと異なるもう一つの水平レンチキュラーレンズの４つの光学要素から構成される透過型スクリーンであって、
樹脂基材の一方の面に垂直レンチキュラーレンズを、その反対面にフレネルレンズを形成した両面レンズシート（Ａ）と、透明樹脂基材の片面に水平レンチキュラーレンズを形成した水平レンチキュラーレンズシート（Ｂ）と、該水平レンチキュラーレンズ（Ｂ）とは異なるもう一つの水平レンチキュラーレンズシート（Ｃ）とからなり、前記水平レンチキュラーレンズシート（Ｂ）及び水平レンチキュラーレンズシート（Ｃ）の各々のレンズピッチをＰｂ、Ｐｃとした場合、Ｐｂ＞Ｐｃなる条件を満たす３枚の光学物品を、順次、画像投射側から両面レンズシート（Ａ）、水平レンチキュラーレンズシート（Ｂ）、水平レンチキュラーレンズシート（Ｃ）を、フレネルレンズ面と水平レンチキュラーレンズシート（Ｂ）のレンチキュラーレンズ面とが重なり合い、さらに水平レンチキュラーレンズシート（Ｂ）のレンズ面と反対側の平坦面に水平レンチキュラーレンズシート（Ｃ）のレンチキュラーレンズ面を重ね合わせ、水平レンチキュラーレンズシート（Ｃ）のレンズ面と反対側の平坦面が観察側に位置するように配設したことを特徴とする透過型スクリーンである。
【００１１】
請求項２記載の発明は、請求項１記載の透過型スクリーンにおいて、前記両面レンズシート（Ａ）の樹脂基材に光拡散剤が、混入されていることを特徴とする。
【００１２】
請求項３記載の発明は、請求項１又は２記載の透過型スクリーンにおいて、前記水平レンチキュラーレンズシート（Ｂ）は、該レンチキュラーレンズの集光作用を利用して、レンズ面の反対側の平坦面に光集光部に相当する以外の領域に線条の遮光層が形成されていることを特徴とする。
【００１３】
請求項４記載の発明は、請求項１乃至３記載の何れかの透過型スクリーンにおいて、前記水平レンチキュラーレンズシート（Ｃ）は、レンズ面の反対側の平坦面に保護樹脂板が積層されていることを特徴とする。
【００１４】
請求項５記載の発明は、請求項４記載の透過型スクリーンにおいて、前記保護樹脂板の観察面となる最外面に、ハードコート処理、帯電防止処理、反射防止処理のうち、少なくとも一つの表面処理が施されたことを特徴とする。
【００１５】
請求項６記載の発明は、請求項１乃至５記載の何れかの透過型スクリーンにおいて、着色剤、帯電防止剤を混入したことを特徴とする請求項１乃至５記載の何れかの透過型スクリーン。
【００１６】
＜作用＞
本発明の透過型スクリーンにおいて、樹脂基材の一方の面に画像投射光を垂直方向に屈折させる作用を持つ垂直レンチキュラーレンズと、その反対面に画像投射光を観察側に集光する作用を持つフレネルレンズとを形成した両面レンズシート（Ａ）と、水平方向に屈折させる作用を持つ水平レンチキュラーレンズシート（Ｂ）の他に、さらに前記水平レンチキュラーレンズ（Ｂ）のレンズピッチよりも微細なのピッチを有するもう一つの水平レンチキュラーレンズシート（Ｃ）を追加することにより、図２に示すように、配光角が大きくなるにつれて、従来の透過型スクリーン１の場合、ある配光角のところから急激に輝度が低下するのに対して、本発明の透過型スクリーン２の場合は、配光角が大きくなるにつれて輝度がなだらかにに低下する。このことは、液晶型プロジェクションテレビ等の映像を透過型スクリーンを介して観察する場合、従来の透過型スクリーンでは、ある視野角で急激に暗くなり、スクリーンとしての特性に問題がある。これに対し、本発明の透過型スクリーンの場合は、ある視野角から徐々に輝度が低下するので観察者にとって違和感を感じないためスクリーンとして望ましい。すなわち、水平視野角が広い透過型スクリーンが得られる。
【００１７】
また、従来の透過型スクリーンを構成するレンチキュラーレンズシートとフレネルレンズシートの両方の部材に拡散層を設けていた構成とは異なり、両面レンズシートの片面に設けた垂直レンチキュラーレンズの垂直方向の映像光の屈折拡散作用によって、従来の光拡散剤による拡散処方に比較して、拡散剤の添加混入量が少量で良く、垂直レンチキュラーレンズのピッチを制御することによって、スクリーンの輝度を低下させない、光効率の良い垂直視野角の広い透過型スクリーンが得られる。
【００１８】
しかも、本発明により遮光層は、レンチキュラーレンズの集光作用を利用して形成するために、真に遮光層の形成が必要な箇所、すなわち映像光の通過しない領域に、確実な位置精度で形成できるために、コントラストの高い、鮮明な画像が観察できる透過型スクリーンが得られる。
【００１９】
【発明の実施の形態】
図に基づいて、以下に本発明の実施の形態について詳細に説明する
図１は、本発明の透過スクリーンの構成を示した例である。図１（ａ）は、その斜視図である。図１（ｂ）は、本発明の透過スクリーンをＸ−Ｙ面で切断した断面図である。図１（ｂ）に示すように、光拡散剤１３を添加混入した樹脂基材１１の一方の面に、画像投射光を垂直方向に屈折させる作用を持つ垂直レンチキュラーレンズ１４を、その反対面に画像投射光を観察側に集光する作用を持つフレネルレンズ１２を形成した両面レンズシート（Ａ）と、透明樹脂基材２１の片面に、画像投射光を水平方向に屈折させる作用を持つ水平レンチキュラーレンズ２４形成し、レンズ面と反対面の基材平坦面に紫外線硬化型樹脂層２５を介してレンズの集光作用を利用して形成した遮光層２６を設け、さらに必要に応じて、粘着層２７を介して樹脂板２８を積層した水平レンチキュラーレンズシート（Ｂ）と、さらに前記水平レンチキュラーレンズ（Ｂ）のレンズピッチよりも微細なのピッチを有する水平レンチキュラーレンズ３４を透明樹脂基材３１に形成し、粘着層３７を介して保護樹脂板３８を積層されており、該保護樹脂板３８の観察面となる最外面に、ハードコート処理、帯電防止処理、反射防止処理のうち、少なくとも一つの表面処理層３９が施されたもう一つの水平レンチキュラーレンズシート（Ｃ）とからなる透過型スクリーンであって、順次、画像投射側から両面レンズシート（Ａ）、水平レンチキュラーレンズシート（Ｂ）、水平レンチキュラーレンズシート（Ｃ）を、フレネルレンズ１２面と水平レンチキュラーレンズシート（Ｂ）のレンチキュラーレンズ２４面とが重なり合い、さらに水平レンチキュラーレンズシート（Ｂ）のレンズ２４面と反対側の平坦面に水平レンチキュラーレンズシート（Ｃ）のレンチキュラーレンズ３４面を重ね合わせ、水平レンチキュラーレンズシート（Ｃ）に形成された保護樹脂板３８の表面処理層３９が最外面の観察面となるように配設された透過型スクリーンの構成である。
【００２０】
本発明のフレネルレンズ１２と、垂直レンチキュラーレンズ１４とからなる両面レンズシート（Ａ）の透明樹脂基材１１は、ポリエステル樹脂、スチレン樹脂、アクリル樹脂、アクリル−スチレン共重合樹脂、ポリカーボネート樹脂、塩化ビニル樹脂シート等が挙げられるが、特に限定されるものではない。
【００２１】
本発明の前記両面レンズシート（Ａ）の透明樹脂基材１１には、主に球状形状の光拡散剤１３が混入されていることを特徴とする。粒径１０〜１００μのＳｉＯ２を主成分とするガラスビーズや樹脂ビーズを主体に添加することが望ましい。
また、必要に応じて、粉末ガラス、微粉砕ガラス繊維、酸化チタン、炭酸カルシウム、二酸化珪素（シリカ）、酸化アルミニウム、各種粘土等の無機微粉末または架橋重合体樹脂微粒子等添加することもできる。
【００２２】
本発明の水平レンチキュラーレンズシート（Ｂ）、（Ｃ）の透明樹脂基材２１、３１は、前記同様のポリエステル樹脂、ポリスチレン樹脂、アクリル樹脂、アクリル−スチレン共重合樹脂、ポリカーボネート樹脂、塩化ビニル樹脂シート等が挙げられるが、本発明においては、透明であることが特徴であり、材質等は特に限定されるものではない。
【００２３】
本発明の両面レンズシート（Ａ）、水平レンチキュラーレンズシート（Ｂ）、（Ｃ）における各々のレンズ部１２、１４、２４、３４を形成する方法は、
（１）ポリスチレン樹脂、アクリル樹脂、ポリカーボネート樹脂、塩化ビニル樹脂等のシート状基材を加熱し、熱溶融状態で平プレスにて、金型を用いて型押しする方法。
（２）エクストル−ダによる溶融押出し成型にて、溶融状態で押し出されるシート状樹脂基材表面にエンボスロール金型を用いて型押しする方法。
（３）紫外線または電子線硬化性樹脂組成物をエンボスロール金型の成型面に塗工し、シート状樹脂基材をエンボスロール金型に供給して、前記基材を介して紫外線または電離放射線の照射により、前記樹脂を硬化させると同時に樹脂成型物からなるレンズを透明基材に重合接着せしめる方法等が挙げられる。特に、限定されるものではないが、生産性の点から上記（３）の紫外線または電子線硬化性樹脂を使用する方法が実用的である。
【００２４】
本発明の水平レンチキュラーレンズシート（Ｂ）は、透明樹脂基材２１の片面に水平レンチキュラーレンズ２４を形成し、レンズ面の反対側の基材２１の平坦面に紫外線硬化型樹脂層２５を介して、レンズ２４面と反対面の集光部に相当する以外の領域、すなわち映像光が通過しない領域に光吸収層となる遮光層２６を設けてあり、さらに必要に応じて粘着層２７を介して保護透明樹脂板２８が積層されていることを特徴とする。
以下に、上記遮光層２６を形成する方法につて詳細に説明する。
本発明の透過型スクリーンに使用される水平レンチキュラーレンズシート（Ｂ）は、透明樹脂基材２１の片面にシリンドリカルレンズ２４が並設され、レンズ面と反対側の基材平坦面に紫外線硬化型樹脂層２５を形成する。光源（図示せず）とレンチキュラーレンズシートとを、シリンドリカルレンズ２４の並設方向に相対移動させながら、シリンドリカルレンズ２４の長手方向に延びた帯状の光線を、シリンドリカルレンズ２４側からレンチキュラーレンズシートの基材の平坦面に形成した紫外線硬化型樹脂層２５に対して垂直に照射して、各シリンドリカルレンズ２４によって集光された部分の前記紫外線硬化型樹脂を硬化させた後、紫外線硬化型樹脂層２５の全面に転写シート基材に黒色の着色層が形成された転写シート（図示せず）を前記着色層側で重ね合わせ、未硬化部分の前記樹脂の粘着性を利用して、前記着色層を未硬化部分にのみ付着させ線条の遮光層２６が形成される。または、黒色微粉体トナーを未硬化部分にのみに選択的に付着させることもできる。
【００２５】
上記の露光プロセスによれば、各シリンドリカルレンズに対しては、シリンドリカルレンズ側からレンチキュラーシートの全面に平行光を一括的に照射するのと同等に機能することになる。
形成される遮光層は、実際のレンチキュラーシートへの紫外線の照射による非集光部に対してであり、真に遮光層の形成が必要な箇所、すなわち映像光の通過しない領域に、確実な位置精度で形成できる。
また、上記の露光プロセスによれば、露光量に応じて粘着部の幅を制御することによって、遮光層の幅をコントロールできる。遮光層の幅を、非集光部の幅と（非集光部＋集光部）の幅との比をＢＳ率と定義し、十分なコントラスト得るためにはＢＳ率を４０〜７０％以上とするのが好ましい。
【００２６】
上記で得られた遮光層２６を形成した本発明の水平レンチキュラーレンズシート（Ｂ）の遮光層２６上に、必要に応じて粘着層２７を介して保護を目的とした保護樹脂板２８を積層することもできる。
樹脂板２８として、スチレン樹脂、アクリル樹脂、アクリル−スチレン共重合樹脂（ＭＳ樹脂）、ポリカーボネート樹脂等の剛性があり、光線透過率の優れた樹脂板が挙げられるが、特に限定されない。この保護樹脂板２８は、特に上記光吸収遮光層を保護すると共にレンチキュラーレンズシートに剛性を付与する目的のために設けられるもので、必要に応じて着色剤を混入することもできる。
【００２７】
また、もう一つの水平レンチキュラーレンズシート（Ｃ）は、透明樹脂基材３１の片面に水平レンチキュラーレンズシート（Ｂ）のレンズピッチよりも微細なピッチを有する水平レンチキュラーレンズ３４を形成し、レンズ面の反対側の基材平坦面に、粘着層３７を介して保護樹脂板３８が積層されていることを特徴とする。
保護樹脂板３８として、前記樹脂板と同様に、スチレン樹脂、アクリル樹脂、アクリル−スチレン共重合樹脂（ＭＳ樹脂）、ポリカーボネート樹脂等の剛性があり、光線透過率の優れた樹脂板が挙げられるが、特に限定されない。この保護樹脂板３８の観察側の最外面が、ハードコート処理、帯電防止処理、反射防止処理のうち、少なくとも一つの表面処理が施された表面処理層３９を有する。
保護樹脂板の最外面が、透過型スクリーンの観察面になるため、外部からの引っかきや接触による傷等に耐えるために、ハードコート処理を施すことができる。また、透過型スクリーンの観察面となる保護樹脂板の最外面にゴミ、ホコリが付き難く、スクリーン表面を拭く頻度を減らすことができるように帯電防止処理を施すことができる。さらに、スクリーン表面での反射を低減し、外光の反射が少なく、外光の写り込みによる画像妨害を低減するために反射防止処理を施すとができる。
【００２８】
ハードコート処理によるハードコート層は、紫外線硬化型塗料から形成する。紫外線硬化型塗料は、一般的には皮膜形成成分としてその構造の中にラジカル重合性の二重結合又はエポキシ基を有するポリマー、オリゴマー、モノマー等を主成分とするものであり、その他光重合開始剤や増感剤を含有する。
本発明に好ましいものは、皮膜形成成分がアクリレート系の官能基を有する多官能（メタ）アクリレート系の紫外線硬化型塗料を使用することによって、表面硬度、透明性、耐摩擦性、耐擦傷性等に優れたハードコート層を形成することができる。
【００２９】
樹脂板に紫外線硬化型塗料を塗布する方法は、例えば、ブレードコーティング、ロッドコーティング、ナイフコーティング、リバースロールコーティング、スプレーコーティング、オフセットグラビアコーティング等の任意の塗布方法により上記の拡散層上に塗布されるが、特に塗布厚の精度、塗布表面の平滑性等に優れたグラビアコーティング、グラビアリバースコーティング、リバースロールコーティング、オフセットグラビアコーティング方法等が好適である。
また、ハードコート層を転写層とした転写シートを用いて転写によって形成することもできる
【００３０】
帯電防止処理は、保護樹脂板の基材に帯電防止剤を塗布する。一例として粒径０．５μｍ以下の酸化錫（ＳｎＯ２）を用い、表面抵抗値が１０１０Ω以下となるような帯電防止層を設ける。帯電防止層の表面抵抗値が１０１０Ω以下であれば、特に金属酸化物微粉末を限定するものではない。特に、帯電防止剤の種類、添加量等は限定されるものではない。
【００３１】
反射防止処理は、保護樹脂板の基材の屈折率よりも低屈折率の材料、透明なフッ素系樹脂またはフッ素系無機化合物からなる薄膜を塗布又は蒸着等により保護樹脂板に形成することができる。本発明では、特に低屈折材料、形成方法は限定されるものではない。これによって、外光コントラストの改善及び写り込みのない映像が得られる。
【００３２】
また、本発明の一方の面に垂直レンチキュラーレンズを、その反対面にフレネルレンズを形成した両面レンズシートの光拡散剤を混入した基材に、さらに着色剤、帯電防止剤を混入したことを特徴とする。
本発明で使用される着色剤は、光吸収スペクトルが可視波長領域においてほぼ一様な黒色の可視光線吸収材料、または選択波長特性を有する可視光線吸収材料のうち何れか一方を含有させることにより、可視光線波長領域における光吸収量を増加させ、外光コントラスト向上させることができる。可視光線を吸収できる材料着色剤の材料として保護樹脂板と相溶性のある色素、顔料、カーボン、金属塩等を挙げることができる。一方、帯電防止剤は、特に限定されるものではなく、保護樹脂板を成形する際に練り込み、混入させることができる。
【００３３】
【実施例】
＜実施例１＞
光拡散剤を混入した樹脂基材の一方の面の入射側に垂直方向に画像投射光を垂直方向に屈折させる作用を持つ垂直レンチキュラーレンズを設け、その反対面の出射側にはフレネルレンズを形成した両面レンズシート（Ａ）と、画像投射光を水平方向に屈折させる作用を持つレンズ面と反対側の平坦面に黒色遮光層を設けた面に保護樹脂板を積層した透明な水平レンチキュラーレンズシート（Ｂ）と、レンチキュラーレンズシート（Ｂ）のレンズのピッチよりも小さいピッチを有するレンズを入射側の片面に形成した水平レンチキュラーレンズシート（ｃ）からなる図１（ｂ）に示すような構成の本発明の液晶投射型プロジェクションテレビ用透過型スクリーンを作成した。
上記の各々の光学物品は、垂直レンチキュラーレンズピッチ及びその反対面に形成したフレネルレンズピッチは共に０．１ｍｍ以下の所定のピッチ及びレンズ形状の両面レンズシート（Ａ）、水平レンチキュラーレンズピッチは０．２ｍｍ以下の所定のピッチ及びレンズ形状の水平レンチキュラーレンズシート（Ｂ）、水平レンチキュラーレンズピッチは０．１ｍｍ以下で、かつレンズシート（Ｂ）のレンズピッチよりも小さい所定のピッチ及びレンズ形状の水平レンチキュラーレンズシート（ｃ）のものを使用した。
【００３４】
＜比較例１＞
光拡散剤を混入した樹脂基材の一方の面の入射側に垂直方向に画像投射光を垂直方向に屈折させる作用を持つ垂直レンチキュラーレンズを設け、その反対面の出射側にはフレネルレンズを形成した両面レンズシート（Ａ）と、画像投射光を水平方向に屈折させる作用を持つレンズ面と反対側の平坦面に黒色遮光層を設けた面に保護樹脂板を積層した透明な水平レンチキュラーレンズシート（Ｂ）とからなる構成の液晶投射型プロジェクションテレビ用透過型スクリーンを作成した。
上記の垂直レンチキュラーレンズ及びその反対面に形成したフレネルレンズの両面レンズシート（Ａ）、水平レンチキュラーレンズシート（Ｂ）は実施例１と同一のものを使用した。
【００３５】
＜比較例２＞
図４に示すように、光拡散剤を混入した樹脂基材の一方の面の出射側にフレネルレンズを形成したフレネルレンズシート７０と、黒色着色剤及び光拡散剤を混入した樹脂基材の一方の面にレンチキュラーレンズを形成した画像投射光を水平方向に屈折させる作用を持つ水平レンチキュラーレンズシート８０からなる構成の液晶投射型プロジェクションテレビ用透過型スクリーンを作成した。
上記のフレネルレンズシート７０に形成したフレネルレンズは、実施例１の両面レンズシート（Ａ）のフレネルレンズのピッチ及びレンズ形状と同一のものである。また、水平レンチキュラーレンズシート８０に形成したレンチキュラーレンズは、実施例１の水平レンチキュラーレンズシート（Ｂ）のレンチキュラーレンズのピッチ及びレンズ形状と同一のものである。
【００３６】
＜比較例３＞
図５に示すように、光拡散剤を混入した樹脂基材の一方の面の出射側にフレネルレンズ９０を形成したフレネルレンズシートと、画像投射光を水平方向に屈折させる作用を持つ透明な水平レンチキュラーレンズシートの平坦面に形成した黒色遮光層の面に、黒色着色剤及び光拡散剤を混入した拡散板を積層してなるレンチキュラーレンズ板１００とからなる構成の液晶投射型プロジェクションテレビ用透過型スクリーンを作成した。
上記のフレネルレンズシート９０に形成したフレネルレンズは、実施例１の両面レンズシート（Ａ）のフレネルレンズのピッチ及びレンズ形状と同一のものである。また、水平レンチキュラーレンズ板１００に形成したレンチキュラーレンズは、実施例１の水平レンチキュラーレンズシート（Ｂ）のレンチキュラーレンズのピッチ及びレンズ形状と同一のものである。
【００３７】
＜比較例４＞
図３に示すように、光拡散剤を混入した樹脂基材の一方の面の出射側にフレネルレンズを形成したフレネルレンズシート４０と、入射側と出射側の両面にレンチキュラーレンズを有し、出射側の非集光部に凸条の黒色遮光層を設けた両面レンチキュラーレンズシート５０と保護樹脂板６０からなる構成のＣＲＴ型プロジェクションテレビ用透過型スクリーンを入手した。
透過型スクリーンは市場に出ているＸ社のＣＲＴ型投射型プロジェクションテレビに搭載しているものを使用し、フレネルレンズピッチは０．１５ｍｍ、また投射画像光を水平方向に屈折させる作用を持つレンチキュラーレンズのピッチは０．５ｍｍであった。
【００３８】
［スクリーンの性能評価方法］
上記で作成した透過型スクリーンの光学特性を下記に示す方法にて評価し、その結果を表１に示した。
【００３９】
＜視野角＞
Ａ社製液晶プロジェクションテレビ（画面中央部の照度：１６０ＬＵＸ）に透過型スクリーンをセットし、２ｍ離れた位置でのスクリーン中央部及びその中央部から水平方向に左右の所定の角度での輝度（ｃｄ／ｍ２）を測定した。測定には、トプコン製ＢＭ−７を使用し、２度視野にておこなった。その測定結果から、中心輝度のそれぞれ１／２、１／３、１／１０、１／２０になる角度を、αＨ、βＨ、γＨ、δＨで表わした。同様に、スクリーン中央部及びその中央部から垂直方向に上下の所定の角度での輝度（ｃｄ／ｍ２）を測定した結果から、測定には、トプコン製ＢＭ−７を使用し、２度視野にておこなった。その測定結果から、中心輝度の１／２になる角度を、αＶで表わした。
【００４０】
＜輝度＞
Ａ社製液晶プロジェクションテレビ（画面中央部の照度：１６０ＬＵＸ）に透過型スクリーンをセットし、２ｍ離れた位置での輝度（ｃｄ／ｍ２）を測定した。測定には、トプコン製ＢＭ−７を使用し、２度視野にておこなった。
【００４１】
＜コントラスト＞
Ａ社製液晶プロジェクションテレビに透過型スクリーンをセットし、２ｍ離れた位置で白色部と黒色部との輝度（ｃｄ／ｍ２）を測定し、その輝度比から求めた。測定には、トプコン製ＢＭ−７を使用し、２度視野にておこなった。
【００４２】
＜外光反射率＞
スポット輝度計を用いて、反射光の入射光に対する比で表わした。
【００４３】
＜ホットバー＞
Ａ社製液晶型プロジェクションテレビ（画面中央部の照度：１６０ＬＵＸ）に透過型スクリーンをセットし、１ｍ離れた位置でのシースルー現象（光源が透ける現象）のないものを◎、若干観察されるものを△、のあるものを×で表わした。
【００４４】
＜モアレ、鮮明度＞
投射画像を目視観察し、モアレが殆ど観察されなかったものを◎、若干観察されたものを△で表わした。また、鮮明度は画像の解像度を表わし、同様投射画像を目視観察によって評価し、解像性に優れたものを◎、若干劣るものを△で表わした。
【００４５】
【表１】
0003610826.tif 000002
【００４６】
【発明の効果】
本発明によれば、下記の効果を奏するものである。
（１）本発明の透過型スクリーンは、樹脂基材の片面にフレネルレンズを、もう一方の反対面に形成した垂直レンチキュラーレンズの画像投射光を垂直方向に屈折させる作用により、従来の光拡散剤による拡散処方に比較して、基材への拡散剤の添加混入量が少量で良く、垂直レンチキュラーレンズのピッチを制御することによって、スクリーンの輝度を低下させない光効率の良い垂直方向の広視野角対応が可能となった。
（２）また、本発明の透過型スクリーンは、垂直レンチキュラーレンズとフレネルレンズを形成した両面レンズシート（Ａ）と、水平レンチキュラーレンズシート（Ｂ）との他に、さらに水平レンチキュラーレンズシート（Ｂ）のレンズピッチよりも微細なピッチを有するもう一つの水平レンチキュラーレンズシート（Ｃ）を過型スクリーンの構成に加えることにより、水平方向の広視野角対応が可能となった。従来、広視野角対応のレンズ設計では、遮光層を形成する上での制約があったが、本発明により水平レンチキュラーレンズシート（Ｂ）の集光作用を利用して遮光層を形成した水平方向の広視野角対応が可能となった。
（３）しかも、本発明により遮光層は、実際のレンチキュラーシートへの紫外線の照射による非集光部に対してであり、真に遮光層の形成が必要な箇所、すなわち映像光の通過しない領域に、確実な位置精度で形成できるために、コントラストの高い、鮮明な画像が観察できる透過型スクリーン提供することが可能となった。
以上のように、本発明により、高精細な液晶パネルを用いた液晶投射型プロジェクションテレビジョン用の輝度が高く明るい、視野角の広い、コントラストの高い、鮮明な画像が観察できる透過型スクリーン提供することができる。
【図面の簡単な説明】
【図１】（ａ）は、本発明の透過型スクリーンの斜視図である。
（ｂ）は、本発明の透過型スクリーンを図１（ａ）に示したＸ−Ｙ面で切断した断面図である。
【図２】透過型スクリーンの配光角と輝度の関係を示した説明図である。
【図３】従来の透過型スクリーンの構成の一例を示した断面図である。
【図４】従来の透過型スクリーンの構成の他の例を示した断面図である。
【図５】従来の透過型スクリーンの構成のも一つの他の例を示した断面図である。
【符号の説明】
Ａ……両面レンズシート（Ａ）
Ｂ……水平レンチキュラーシート（Ｂ）
Ｃ……水平レンチキュラーシート（Ｃ）
１……本発明の透過型スクリーン
２……従来の透過型スクリーン
１１、２１、３１、７１、８１、９１、１２１……透明樹脂基材
１２、４２、７２、９２……フレネルレンズ
１３……光拡散剤
１４……垂直レンチキュラーレンズ
２４、３４、５４、８４……水平レンチキュラーレンズ
２５、１２５……紫外線硬化型樹脂層
２６、５６、１２６……遮光層
２７、３７、１２７……粘着層
２８、３８、６０、６８、８８、１２８……保護樹脂板
３９、６９、８９、１２９……表面処理層
４０、７０……フレネルレンズシート
５０……両面レンチキュラーレンズシート
８０、１００……片面レンチキュラーレンズシート
【図１】
0003610826.tif 000003
【図２】
0003610826.tif 000004
【図３】
0003610826.tif 000005
【図４】
0003610826.tif 000006
【図５】
0003610826.tif 000007